(57)【特許請求の範囲】
【請求項１】
縦糸と横糸とを織り込んだ網体からなり、巻き上げると同時に除塵する除塵手段を備えたエンドレス状のフィルタであって、前記縦糸が、前記横糸と同径でなる第一網糸と、前記横糸よりも大径でなり前記網体の少なくとも一箇所に織り込んだ第二網糸とで構成され、前記第一網糸と前記第二網糸とが、前記フィルタの巻き上げ方向である長手方向に織り込まれることを特徴とするフィルタ。
【請求項２】
縦糸と横糸とを織り込んだ網体からなり、巻き上げると同時に除塵する除塵手段を備えたエンドレス状のフィルタであって、前記横糸が、前記縦糸と同径でなる第一網糸と、前記縦糸よりも大径でなり前記網体の少なくとも一箇所に織り込んだ第二網糸とで構成され、前記第一網糸と前記第二網糸とが、前記フィルタの巻き上げ方向と直交する方向である短手方向に織り込まれることを特徴とするフィルタ。
【請求項３】
請求項１または請求項２に記載されたフィルタを備えたことを特徴とする空気調和機。
【発明の詳細な説明】
【技術分野】
【０００１】
本発明は、フィルタおよび同フィルタを備えた空気調和機に関わり、より詳細には、巻き上げ可能なエンドレス状のフィルタの構造に関するものである。
【背景技術】
【０００２】
空気調和機に用いられるフィルタとして、図７（Ａ）乃至図７（Ｃ）に示すような従来のフィルタ１００が知られている。このフィルタ１００は、吸込口から矢印ａのように吸い込まれた空気中に含まれる塵埃を捕捉するものであり、細い均一な径による繊維が織り込まれた網体１０１をエンドレス状に形成して、フィルタ１００を巻き上げるための駆動手段１０２と、巻き上げると同時に網体１０１で捕捉された塵埃を除塵する除塵手段１０５とともにカバー１０６で覆われて、空気調和機に取り付けられている。
【０００３】
エンドレス状のフィルタ１００は、空気調和機の空気通路に配置されることで、吸込口から吸い込まれた空気中の塵埃を捕捉して被空調室へ吹き出される空気の清浄化を図るようになっており、駆動源を備えた駆動手段１０２によって巻き上げられると同時に、フィルタ１００で捕捉された塵埃が、ブラシ１０３および集塵ケース１０４を備えた除塵手段１０５によって、フィルタ１００から除去されたのち集塵ケース１０４に溜められるように構成されている（例えば、特許文献１参照）。
【０００４】
しかしながら、上述したフィルタ１００は常に除塵用のブラシ１０３によって摩擦されていることから、網体１０１が細い均一な径でなる繊維を織り込んで形成されたことで、ブラシ１０３の摩擦に対する強度が不足して変形または破損してしまう虞があり、また、図示はしないが、網体を枠部や桟部で支持する構成にしてフィルタ１００の強度を増強させた場合には、網体による開口面積が減少して空気抵抗を増加させてしてしまうという問題点を有していた。
【先行技術文献】
【特許文献】
【０００５】
【特許文献１】特開平７−２７５６２６号公報
【発明の概要】
【発明が解決しようとする課題】
【０００６】
本発明は、上記問題点に鑑み、網体の強度を増強させるとともに空気抵抗の増加を抑えるようにした巻き上げ可能なエンドレス状のフィルタおよび同フィルタを備えた空気調和機を提供することを目的とする。
【課題を解決するための手段】
【０００７】
上述した目的を達成できるように構成するため、本発明は以下に示す特徴を備えている。
【０００８】
縦糸と横糸とを織り込んだ網体からなり、巻き上げると同時に除塵する除塵手段を備えたエンドレス状のフィルタであって、
前記縦糸が、前記横糸と同径でなる第一網糸と、前記横糸よりも大径でなり前記網体の少なくとも一箇所に織り込んだ第二網糸とで構成され、前記第一網糸と前記第二網糸とが、前記フィルタの巻き上げ方向である長手方向に織り込まれることを特徴としている。
【０００９】
また、縦糸と横糸とを織り込んだ網体からなり、巻き上げると同時に除塵する除塵手段を備えたエンドレス状のフィルタであって、
前記横糸が、前記縦糸と同径でなる第一網糸と、前記縦糸よりも大径でなり前記網体の少なくとも一箇所に織り込んだ第二網糸とで構成され、前記第一網糸と前記第二網糸とが、前記フィルタの巻き上げ方向と直交する方向である短手方向に織り込まれることを特徴としている。
【００１０】
また、前記フィルタを備えた空気調和機としたことを特徴としている。
【発明の効果】
【００１１】
本発明によれば、網体の強度を増強させるとともに空気抵抗の増加を抑えるようにした巻き上げ可能なエンドレス状のフィルタおよび同フィルタを備えた空気調和機を提供できる。
【図面の簡単な説明】
【００１２】
【図１】本発明によるフィルタを備えた空気調和機の断面図である。
【図２】本発明の請求項１に係るフィルタの斜視図である。
【図３】本発明の請求項１に係るフィルタのカバー付きの斜視図である。
【図４】本発明の請求項２に係るフィルタの斜視図である。
【図５】本発明の請求項２に係るフィルタのカバー付きの斜視図である。
【図６】本発明によるフィルタを上面から見た断面図である。
【図７】従来例によるフィルタの説明図で、（Ａ）は斜視図であり、（Ｂ）はフィルタのカバー付きの斜視図であり、（Ｃ）は上面から見た断面図である。
【発明を実施するための形態】
【００１３】
以下、本発明の実施の形態を、添付図面に基づいた実施例として詳細に説明する。
【００１４】
本発明によるフィルタを備えた空気調和機は、図１に示す断面図のように、前面に仕切部４を介した上下の吸込口２ａおよび吸込口２ｂを設け、前面上下部に風向板を枢支した吹出口３ａおよび吹出口３ｂを設けている。
【００１５】
吸込口２ａと吹出口３ａとを結ぶ上部空気通路に、上部熱交換器５ａおよび上部送風ファン６ａが設けられ、吸込口２ｂと吹出口３ｂとを結ぶ下部空気通路に、下部熱交換器５ｂと下部送風ファン６ｂとが設けられ、吸込口２ａおよび吸込口２ｂと、上部熱交換器５ａおよび下部熱交換器５ｂとの間にはフィルタ７が設けられている。
【００１６】
吸込口２ａから吸い込まれた空気は、図１および図６に示す矢印Ａのように、上部空気通路に設けられたフィルタ７と、上部熱交換器５ａと、上部送風ファン６ａとを通過して吹出口３ａから被空調室に吹き出されるとともに、吸込口２ｂから吸い込まれた空気は、図１および図６に示す矢印Ｂのように、下部空気通路に設けられたフィルタ７と、下部熱交換器５ｂと、下部送風ファン６ｂとを通過して吹出口３ｂから被空調室に吹き出される。
【００１７】
本発明によるフィルタ７が用いられる空気調和機は、上述したように吸込口や吹出口が複数箇所に設けられた構成に限ることなく、吸込口と吹出口とを結ぶ空気通路や、熱交換器および送風ファン等がそれぞれ一箇所に設けられた構成であってもよい。また、本発明によるフィルタ７は、空気調和機に限ることなく、図示はしないが、加湿器あるいは空気清浄器等に用いられる構成であってもよい。
【００１８】
上述した空気調和機１では、被空調室内の空気が吸込口２ａおよび吸込口２ｂから吸い込まれてフィルタ７を通過することで空気中に含まれた塵埃が捕捉されたのち、上部熱交換器５ａおよび下部熱交換器５ｂによって冷媒との間で熱交換された調和空気となり、上部送風ファン６ａおよび下部送風ファン６ｂによって吹出口３ａおよび吹出口３ｂから被空調室へ吹き出される。
【００１９】
なお、空気調和機１は、上部送風ファン６ａまたは下部送風ファン６ｂの何れか一方を起動し、起動した何れか一方の上部送風ファン６ａまたは下部送風ファン６ｂに対応して、上部熱交換器５ａまたは下部熱交換器５ｂの何れか一方に冷媒を循環させることで熱交換された調和空気を、冷媒を循環させた上部熱交換器５ａまたは下部熱交換器５ｂの何れか一方に対応する吹出口３ａまたは吹出口３ｂに送出することによって空気調和を実行してもよい。
【００２０】
上述したように、吸込口２ａおよび吸込口２ｂから吸い込まれた被空調室内の空気は、吸込口２ａおよび吸込口２ｂに面して配置されたフィルタ７によって空気中に含まれた塵埃が捕捉されることで清浄化される。これによって、フィルタ７の下流側を構成する上部空気通路および下部空気通路に塵埃が付着しなくなり、また、上部空気通路および下部空気通路にそれぞれ配置されている上部熱交換器５ａおよび下部熱交換器５ｂや、上部送風ファン６ａおよび下部送風ファン６ｂなどに塵埃が付着しなくなって清潔さを保つことができるとともに、吹出口３ａおよび吹出口３ｂからは、フィルタ７で清浄化され上部熱交換器５ａおよび下部熱交換器５ｂで熱交換された清潔な調和空気が被空調室に向けて吹き出される。
【００２１】
フィルタ７は、図２乃至図６に示すように、少なくとも縦糸９と横糸１０とによる第一網糸同士を織り込んだ網体８からなり、網体８の前面側がフィルタ７を巻き上げるために駆動する駆動モータ１３および駆動ドラム１５の側に向かうよう横方向に巻き上げ可能であって、巻き上げると同時に、捕捉した塵埃を除塵できるようにした除塵手段１９を備えてエンドレス状に形成されてカバー２１で覆われるように構成されている。
【００２２】
なお、図１に示すフィルタ７においては、フィルタ７を巻き上げるために駆動する駆動モータ１３および駆動ドラム１５等は省略しており、図２乃至図５に示す網体８を構成する繊維は、エンドレス状に形成されたフィルタ７が巻き上げられる長手方向に沿う繊維を縦糸９とし、フィルタ７が巻き上げられる方向に直交する短手方向の繊維を横糸１０としている。また、本実施例においては、フィルタ７の前面側が横方向に巻き上げられる構成として説明しているが、フィルタ７の前面側が縦方向に巻き上げられるように構成してもよい。
【００２３】
ここで、フィルタ７が、少なくとも縦糸９と横糸１０とによる第一網糸同士を織り込んだ網体８からなり、横方向に巻き上げ可能となるようにエンドレス状に形成された構成について、図２乃至図６に基づいて詳細に説明する。
【００２４】
エンドレス状に形成されたフィルタ７は、図２および図４に示すように、フィルタ７の一側に設けられ、駆動モータ１３に連係する連係歯車１４を介して駆動される駆動ドラム１５および補助駆動ドラム１６と、他側に設けられた従動ドラム１７および補助従動ドラム１８との間に弛みなく架設されており、駆動ドラム１５および補助駆動ドラム１６と、従動ドラム１７および補助従動ドラム１８との間に架設されているフィルタ７の前面部は、図１に示す吸込口２ａおよび吸込口２ｂに面するように配置されている。
【００２５】
駆動モータ１３は、駆動モータ１３に連動する駆動歯車１３ａと、除塵手段１９を構成しているブラシ１９ａを備えたブラシドラム１９ｂとを駆動し、駆動歯車１３ａに連係している連係歯車１４を介して駆動ドラム１５を駆動するとともに、巻き上げられるフィルタ７を押圧するように配置されている補助駆動ドラム１６を駆動して、フィルタ７が駆動ドラム１５および補助駆動ドラム１６によって巻き上げられることにより、架設されているフィルタ７を介して、従動ドラム１７および補助従動ドラム１８が従動するように構成されている。
【００２６】
その際、駆動ドラム１５の外周部には、網体８に引っ掛かる針状の凸片（図示せず）が多数突設されていることにより、駆動ドラム１５が回転するのと同時に、針状の凸片（図示せず）が網体８を引っ掛けながらフィルタ７を円滑に巻き上げることができる。
【００２７】
駆動歯車１３ａに連係している駆動ドラム１５が駆動モータ１３によって駆動された際、フィルタ７が駆動ドラム１５の側に巻き上げられると同時にブラシドラム１９ｂが駆動モータ１３によって駆動され、フィルタ７で捕捉された塵埃が、駆動ドラム１５に巻かれたフィルタ７に当接しているブラシ１９ａによって除去されるようになっている。
【００２８】
フィルタ７から除去された塵埃は、除塵手段１９の下部に設けられたケース２０に溜められ、ユーザによって機外に定期的に廃棄されるようにしている。
【００２９】
フィルタ７は、少なくとも縦糸９と横糸１０とによる第一網糸同士を織り込んだ網体８からなる構成にして、枠部や桟部をなくすることで通風抵抗を抑え、巻き上げ可能なエンドレス状に形成して塵埃を捕捉できるとともに、巻き上げ時にブラシ１９ａで擦られることで変形や損傷が生じない強度を有した構成にしている。
【実施例１】
【００３０】
次に、実施例１として示す図２と、図３と、図６とに基づいて、網体８が枠部や桟部によって支持されない構成にすることで通風抵抗を抑えるとともに、巻き上げ時に変形や損傷が生じないように強度をもたせたフィルタ７の構成について説明する。
【００３１】
網体８は、互いに平行な縦糸９による第一網糸と、互いに平行な横糸１０による第一網糸とが織り込まれるとともに、縦糸９よりも太い繊維からなる縦の第二網糸１１が、所定のピッチで縦糸９の一部を構成して第一網糸と縦の第二網糸１１とが等間隔となるように織り込まれている。
【００３２】
これにより、所謂枠部や桟部のように幅広く形成されていない縦の第二網糸１１が織り込まれることになるため、通風抵抗の増加を抑えて巻き上げ時に変形や損傷が生じない強度をもたせた網体８を形成できるようになり、とくに、強度をもたせた網体８からなるフィルタ７の巻き上げ方向である長手方向の強度を増強させ、フィルタ７の巻き上げ時にフィルタ７の縦方向に加わる引っ張り力により変形や損傷を生じさせないようにして、また、ブラシ１９ａによって塵埃を除去する時に加わる力に対する強度を増強できる。
【００３３】
なお、縦の第二網糸１１は、所定のピッチで複数箇所に織り込まれるのではなく、一本だけ織り込まれた構成であってもよいし、また、網体８の強度を更に増強するために、縦糸９による第一網糸に代えて縦の第二網糸１１が所定のピッチで織り込まれた構成にしてもよい。
【実施例２】
【００３４】
次に、実施例２として示す図４と、図５と、図６とに基づいて、網体８が枠部や桟部によって支持されない構成にすることで通風抵抗を抑えるとともに、巻き上げ時に変形や損傷が生じないように強度をもたせたフィルタ７の構成について説明する。
【００３５】
網体８は、互いに平行な縦糸９による第一網糸と、互いに平行な横糸１０による第一網糸とが織り込まれるとともに、横糸１０よりも太い繊維からなる横の第二網糸１２が、所定のピッチで横糸１０の一部を構成して第一網糸と横の第二網糸１２とが等間隔となるように織り込まれている。
【００３６】
これにより、所謂枠部や桟部のように幅広く形成されていない横の第二網糸１２が織り込まれることになるため、通風抵抗の増加を抑えて巻き上げ時に変形や損傷が生じない程度の強度を有する網体８を形成できるようになり、とくに、強度を有する網体８からなるフィルタ７の巻き上げ方向に直交する短手方向の強度を増強させ、フィルタ７の巻き上げ時にフィルタ７の短手方向に変形しないようにし、また、フィルタ７の巻き上げ時にブラシドラム１９ｂの凸片による網目のズレに対する抵抗力を増強できる。
【００３７】
なお、横の第二網糸１２は、所定のピッチで複数箇所に織り込まれるのではなく、一本だけ織り込まれた構成であってもよいし、また、網体８の強度を更に増強するために、横糸１０による第一網糸に代えて横の第二網糸１２が所定のピッチで織り込まれた構成にしてもよい。または、網体８は、図示はしないが、その一部に縦の第二網糸１１と横の第二網糸１２とが織り込まれた構成にしてもよい。
【００３８】
以上説明したように、本発明の構成によれば、網体８を構成する縦糸９が、横糸１０と同径でなる第一網糸と、横糸１０よりも大径でなり所定のピッチで織り込まれた横の第二網糸１１とで構成されたことで、または、網体８を構成する横糸１０が、縦糸９と同径でなる第一網糸と、縦糸９よりも大径でなり所定のピッチで織り込まれた縦の第二網糸１２とで構成されたことで、網体８の強度を増強させ空気抵抗の増加を抑えた巻き上げ可能なエンドレス状のフィルタ７および同フィルタ７を備えた空気調和機１を提供できる。
【符号の説明】
【００３９】
１  空気調和機
２ａ，２ｂ  吸込口
３ａ，３ｂ  吹出口
４  仕切部
５ａ  上部熱交換器
５ｂ  下部熱交換器
６ａ  上部送風ファン
６ｂ  下部送風ファン
７  フィルタ
８  網体
９  縦糸（第一網糸）
１０  横糸（第一網糸）
１１  縦の第二網糸
１２  横の第二網糸
１３  駆動モータ
１３ａ  駆動歯車
１４  連係歯車
１５  駆動ドラム
１６  補助駆動ドラム
１７  従動ドラム
１８  補助従動ドラム
１９  除塵手段
１９ａ  ブラシ
１９ｂ  ブラシドラム
２０  ケース
２１  カバー
【図１】
0005556540.tif 000002
【図２】
0005556540.tif 000003
【図３】
0005556540.tif 000004
【図４】
0005556540.tif 000005
【図５】
0005556540.tif 000006
【図６】
0005556540.tif 000007
【図７】
0005556540.tif 000008